(57)【特許請求の範囲】
【請求項１】
鉄筋コンクリート構造の水勾配を備えた床を構築するように鉄筋が配筋してある基礎上に、埋込プレートと該埋込プレートの下面に取り付けたジベルを有し更に埋込プレートの上面に据付対象構造物の脚を位置させるようにする脚支持部を有してなる埋込金物を、上記据付対象構造物の脚の配置に合わせて配置して、上方へ突出するように鉄筋に支持させ、次いで、上記基礎上にコンクリートを打設して上面に上記脚支持部が露出するように鉄筋コンクリート構造の水勾配を備えた床を構築し、しかる後、上記埋込金物における水勾配を備えた床上に露出する部分に、据付対象構造物の脚を据付けるようにすることを特徴とする水勾配床の構造物据付け方法。
【請求項２】
脚支持部を、上面を傾斜させたコンクリート堰とし、水平にした埋込プレートの上面に取り付けて、コンクリート堰の上端を、水勾配を備えた床の表面に沿わせるようにすることで、上記コンクリート堰の内側にて埋込プレートの上面が水勾配を備えた床上に露出する部分となるようにした請求項１記載の水勾配床の構造物据付け方法。
【請求項３】
コンクリート堰の内側で水勾配を備えた床上に露出する埋込金物の埋込プレート上に据付対象構造物の脚を据付けた後、該各埋込金物のコンクリート堰の内側にモルタルを充填するようにする請求項１記載の水勾配床の構造物据付け方法。
【請求項４】
脚支持部を、下面に傾斜面を有するベースプレートとして、上面を傾斜させた埋込プレートの上面に取り付け、該埋込プレートの上面を水勾配を備えた床の表面に沿わせようにすることで、上記ベースプレートが水勾配を備えた床上に露出する部分となるようにした請求項１記載の水勾配床の構造物据付け方法。
【発明の詳細な説明】
【技術分野】
【０００１】
本発明は、水勾配を有する鉄筋コンクリート製の床面に埋込金物を介して構造物の脚を据付けるために用いる水勾配床の構造物据付け方法に関するものである。
【背景技術】
【０００２】
一般に、工場や各種プラントの建屋にて、結露が発生する虞がある区画や、水を扱う区画では、コンクリート床に１／１００程度の傾斜で水勾配を設けることが広く一般的に行われている（たとえば、特許文献１参照）。
【０００３】
又、鉄筋コンクリート構造物の表面に他の構造物を取り付ける場合の手法の１つとして、コンクリート注入前の鉄筋に埋込金物を固定した後、該埋込金物のベースプレートが露出された状態でコンクリートの打設を行い、コンクリートが固化して上記鉄筋コンクリート構造物が形成された後に、該コンクリート構造物の表面に露出している上記埋込金物のベースプレートに対し、他の構造物を溶接等によって固定する手法が知られている（たとえば、特許文献２参照）。
【０００４】
【特許文献１】特開２００３−２５３７９８号公報
【特許文献２】実開平６−１４３０２号公報
【発明の開示】
【発明が解決しようとする課題】
【０００５】
ところが、鉄筋コンクリート構造の床に水勾配を設ける必要がある場合に、該床に埋込金物を介して他の構造物である複数の脚を備えた据付対象構造物の各脚を据付けようとすると、上記鉄筋コンクリート構造の水勾配を備えた床を構築する際に、構築する床の表面にベースプレート  が露出するように単に埋込金物を設置しただけでは、各埋込金物のベースプレートが床の水勾配に沿って傾斜すると共に、水勾配の水上側に設置された埋込金物と、水下側に設置された埋込金物では、高さ位置に差が生じるため、そのままでは上記据付対象構造物を鉛直方向に据付けることができないという問題がある。
【０００６】
なお、据付対象構造物の各脚に、予め、水勾配を備えた鉄筋コンクリート構造の床における該各脚の設置予定個所の高さ位置の差に応じた長さ寸法の差を設けておくと共に、該各脚の下端面に、上記床の水勾配に応じた傾斜を予め設けておくようにすれば、上記水勾配を備えた鉄筋コンクリート構造の床に埋設した埋込金物の該床の表面に露出させたベースプレート上に、上記据付対象構造物を鉛直に設置することができるようになると考えられるが、このように据付対象構造物の各脚に長さ寸法の差を設けたり、各脚の下端面に傾斜を設けてしまうと、据付け前の上記据付対象構造物を製造する際や、据付け前の保管時や輸送時に単体で鉛直に自立させることができなくなってしまうため、現実的ではない。
【０００７】
そこで、本発明は、水勾配を設ける鉄筋コンクリート構造の床に、埋込金物を介して据付対象構造物の脚を鉛直方向に容易に据付けることができるようにするための水勾配床の構造物据付け方法を提供しようとするものである。
【課題を解決するための手段】
【０００８】
本発明は、上記課題を解決するために、請求項１に対応して、鉄筋コンクリート構造の水勾配を備えた床を構築するように鉄筋が配筋してある基礎上に、埋込プレートと該埋込プレートの下面に取り付けたジベルを有し更に埋込プレートの上面に据付対象構造物の脚を位置させるようにする脚支持部を有してなる埋込金物を、上記据付対象構造物の脚の配置に合わせて配置して、上方へ突出するように鉄筋に支持させ、次いで、上記基礎上にコンクリートを打設して上面に上記脚支持部が露出するように鉄筋コンクリート構造の水勾配を備えた床を構築し、しかる後、上記埋込金物における水勾配を備えた床上に露出する部分に、据付対象構造物の脚を据付けるようにする水勾配床の構造物据付け方法とする。
【０００９】
又、上記構成における脚支持部を、上面を傾斜させたコンクリート堰とし、水平にした埋込プレートの上面に取り付けて、コンクリート堰の上端を、水勾配を備えた床の表面に沿わせるようにすることで、上記コンクリート堰の内側にて埋込プレートの上面が水勾配を備えた床上に露出する部分となるようにする。
【００１０】
更に、上記構成において、コンクリート堰の内側で水勾配を備えた床上に露出する埋込金物の埋込プレート上に据付対象構造物の脚を据付けた後、該各埋込金物のコンクリート堰の内側にモルタルを充填するようにする。
【００１１】
又、上記請求項１の構成における脚支持部を、下面に傾斜面を有するベースプレートとして、上面を傾斜させた埋込プレートの上面に取り付け、該埋込プレートの上面を水勾配を備えた床の表面に沿わせようにすることで、上記ベースプレートが水勾配を備えた床上に露出する部分となるようにする。
【発明の効果】
【００１２】
本発明によれば、以下のような優れた効果を発揮する。  
（１）鉄筋コンクリート構造の水勾配を備えた床を構築するように鉄筋が配筋してある基礎上に、埋込プレートと該埋込プレートの下面に取り付けたジベルを有し更に埋込プレートの上面に据付対象構造物の脚を位置させるようにする脚支持部を有してなる埋込金物を、上記据付対象構造物の脚の配置に合わせて配置して、上方へ突出するように鉄筋に支持させ、次いで、上記基礎上にコンクリートを打設して上面に上記脚支持部が露出するように鉄筋コンクリート構造の水勾配を備えた床を構築し、しかる後、上記埋込金物における水勾配を備えた床上に露出する部分に、据付対象構造物の脚を据付けるようにする水勾配床の構造物据付け方法としてあるので、鉄筋コンクリート構造の水勾配を備えた床に対し、鉛直方向に配置した据付対象構造物の各脚を、上記埋込金物を介して容易に設置することができる。  
（２）脚支持部を、上面を傾斜させたコンクリート堰とし、水平にした埋込プレートの上面に取り付けて、コンクリート堰の上端を、水勾配を備えた床の表面に沿わせるようにすることで、上記コンクリート堰の内側にて埋込プレートの上面が水勾配を備えた床上に露出する部分となるようにした構成とすることにより、据付対象構造物の各脚を、水平な埋込プレートの上面に据付けることができるようになる。したがって、据付対象構造物の各脚に対応して配置する各埋込金物の埋込プレートの高さ位置がすべて水平方向に揃うように設置することで、鉛直方向に配置した据付対象構造物の各脚を、該各脚に特別な加工を何ら要することなく据付けることが可能になる。  
（３）コンクリート堰の内側で水勾配を備えた床上に露出する埋込金物の埋込プレート上に据付対象構造物の脚を据付けた後、該各埋込金物のコンクリート堰の内側にモルタルを充填するようにすることにより、上記コンクリート堰の内側に水が溜まる虞を解消できる。  
（４）脚支持部を、下面に傾斜面を有するベースプレートとして、上面を傾斜させた埋込プレートの上面に取り付け、該埋込プレートの上面を水勾配を備えた床の表面に沿わせようにすることで、上記ベースプレートが水勾配を備えた床上に露出する部分となるようにすることにより、据付対象構造物の各脚を、上記ベースプレートの上面に据付けることができるようになる。したがって、据付対象構造物の各脚に対応して配置する各埋込金物のベースプレートの上面の高さ位置がすべて水平方向に揃うように設置することで、鉛直方向に配置した据付対象構造物の各脚を、該各脚に特別な加工を何ら要することなく据付けることが可能になる。
【発明を実施するための最良の形態】
【００１３】
以下、本発明を実施するための最良の形態を図面を参照して説明する。
【００１４】
図１（イ）（ロ）（ハ）乃至図３（イ）（ロ）は本発明の水勾配床の構造物据付け方法の実施の一形態を示すもので、以下のようにしてある。
【００１５】
ここで、先ず、本発明の水勾配床の構造物据付け方法に用いる埋込金物１について説明すると、該埋込金物１は、図３（イ）（ロ）に示すように、方形の埋込プレート２の下面に、下方へ突出するジベルとして、たとえば、埋込プレート２の下面の４角部に、該埋込プレート２の下面に対し垂直方向に所要寸法突出するスタッドジベル３を設ける。
【００１６】
更に、上記埋込プレート２の上面に、上下方向に短い寸法の筒状、たとえば、上記埋込プレート２の大きさに対応する角筒形状の脚支持部としてのコンクリート堰４の下端を取り付ける。且つ該コンクリート堰４には、構築すべき水勾配を備えた床５における水下側端部の高さ位置と、据付対象構造物６の脚７の配置に応じて埋込金物１をそれぞれ設置すべき個所における床表面の高さ位置との差に応じた高さ寸法を備えると共に、上記コンクリート堰４の上端部に、上記水勾配を備えた床５の勾配、たとえば、１／１００の勾配に応じた傾斜を設けるようにしてある。（なお、図１（イ）（ロ）（ハ）乃至図３（イ）（ロ）では、床５の水勾配及び上記コンクリート堰４の上端部の傾斜をそれぞれ強調して示してある（以降の各図でも同様とする。）。
【００１７】
以上の構成を備えた埋込金物１を用いて鉄筋コンクリート構造の床５に据付対象構造物６の脚７の据え付けを行う場合は、予め、上記埋込プレート２とスタッドジベル３とコンクリート堰４とからなる埋込金物１を工場で製作しておく。この埋込金物１を現場へ搬入して、先ず、図１（イ）に示すように、図示しない水平な基礎上で鉄筋コンクリート構造の床５を構築するための鉄筋８の配筋工事が行われた状態にて、上記床５の構築後に据付対象構造物６の脚７を設置する設置予定個所ごとに、各々上述したような上記据付対象構造物６の脚７の配置に応じた所定の高さ寸法のコンクリート堰４を具備してなる埋込金物１を、該各埋込金物１の埋込プレート２が構築する水勾配を備えた床５の水下側端部の高さ位置で水平に揃うようにセット（配置）して、該各埋込金物１のスタッドジベル３を、上記配筋済みの鉄筋８に固縛すると共に、埋込プレート２の下面側と、鉄筋８とを埋込金物固定用鋼材９を介し連結して、上記各埋込金物１を鉄筋８に対して支持させる。
【００１８】
次に、図１（ロ）に示すように、上記各埋込金物１の埋込プレート２の表面高さ位置までコンクリート１０を水平に打設して、該コンクリート１０を養生、硬化させて鉄筋コンクリート構造の床本体５ａを構築する。
【００１９】
次いで、図１（ハ）に示すように、上記構築された水平な床本体５ａの表面に、上記各埋込金物１のコンクリート堰４の上端部位置まで、該各埋込金物１のコンクリート堰４の上端部の高さ位置及び傾斜に合うようにコンクリート１０を斜めに増打ち（打設）し、養生、硬化させて、この増打ちしたコンクリート１０によりテーパ状の床５ｂを構築する。これにより、上記床本体５ａとテーパ状の床５ｂとから、床表面に１／１００の水勾配を有する鉄筋コンクリート構造の床５が構築されるようにしてある。
【００２０】
上記のようにして水勾配を有する床５を構築すると、該床５における据付対象構造物６の各脚７に対応する位置にそれぞれ設置された各埋込金物１では、各々の埋込プレート２が、すべて上記構築された水勾配を有する床５の水下側端部と同じ高さ位置で水平に配置された状態となる。よって、上記水勾配を有する床５が構築された後は、図２（イ）に示す如く、該床５の所定個所にそれぞれ設置されている各埋込金物１にて、上記コンクリート堰４の内側を通して上記構築した水勾配を備えた床５の上側に露出する埋込プレート２の上面の中央部に、据付対象構造物６の各脚７の下端部の内側に嵌合させることで該各脚７を受けるための短パイプ１１を、溶接により取り付ける。その後、図２（ロ）に示す如く、上記据付対象構造物６の各脚７を、上記各埋込金物１の埋込プレート２の中央部の上側に載置して、該各脚７を対応する埋込プレート２に溶接により固定する。これにより、上記据付対象構造物６が、各脚７を固定した埋込金物１を介して、上記鉄筋コンクリート構造の床５に対して固定されるようになる。
【００２１】
しかる後、図２（ハ）に示す如く、上記各埋込金物１の各コンクリート堰４の内側に、該各コンクリート堰４の上端部の高さ位置及び傾斜に合うようにモルタル１２を充填することで、上記据付対象構造物６の各脚の７の周りにも、上記各埋込金物１の各コンクリート堰４の周りに構築した水勾配を備えた床表面に連なる水勾配を備えた床表面が構築されるようになる。
【００２２】
このように、本発明の埋込金物１を用いた水勾配床の構造物据付け方法によれば、鉄筋コンクリート構造の水勾配を備えた床５であっても、すべて同じ高さ位置で水平に配置された埋込プレート２を有する埋込金物１を、据付対象構造物６の各脚７の配置に応じてそれぞれ埋設できるため、この各埋込金物１の埋込プレート２の上側に、据付対象構造物６の各脚７を載置して固定することで、上記鉄筋コンクリート構造の水勾配を備えた床５に対し、鉛直方向に配置した据付対象構造物６の各脚７を、該各脚７に特別な加工を何ら要することなく据付けることができる。
【００２３】
又、上記各埋込金物１は、水平な基礎に対して埋込プレート２が水平になるようにセットした状態で、水平にコンクリート１０を打設することで構築される該鉄筋コンクリート構造の床５に固定できるため、該各埋込金物１のセッティングに要する作業を容易なものとすることができて、セッティング作業に要する手間及び時間を削減することができる。
【００２４】
更に、上記埋込プレート２とスタッドジベル３とコンクリート堰４とからなる埋込金物１は工場製作できるため、現場での作業工数を少なくすることができて、現場での作業時間を短いものとすることができる。
【００２５】
しかも、上記したように、上記鉄筋コンクリート構造の水勾配を備えた床５を構築すべく床本体５ａの上側にコンクリート１０を増打ちしてテーパ状の床５ｂを構築する際には、上記各埋込金物１の各コンクリート堰４の上端の高さ位置と傾斜に合わせてコンクリート１０の打設を行うようにすれば、構築する床５に設けるべき水勾配に応じた傾斜でコンクリート１０の打設を行うことができるため、打設するコンクリート１０の上面の高さ位置及び勾配の確認を容易なものとすることができる。
【００２６】
次に、図４は本発明の実施の他の形態で使用する埋込金物１の変形例を示すもので、図３（イ）（ロ）に示したと同様の構成において、埋込金物１を、埋込プレート２の上面に角筒形状のコンクリート堰４を設けてなる構成とすることに代えて、埋込プレート２の上面に、円筒形状のコンクリート堰４ａを設けて埋込金物１を構成したものである。なお、上記円筒形状のコンクリート堰４ａは、図３（イ）（ロ）に示した埋込金物１におけるコンクリート堰４と同様に、構築すべき水勾配を備えた床５における水下側端部の高さ位置と、据付対象構造物６の脚７の配置に応じて埋込金物１をそれぞれ設置すべき個所における床表面の高さ位置との差に応じた高さ寸法を備えると共に、上記コンクリート堰４ａの上端部に、上記床５の水勾配、たとえば、１／１００の勾配に応じた傾斜を設けるようにしてある。
【００２７】
その他の構成は図１（イ）（ロ）（ハ）乃至図３（イ）（ロ）に示したものと同様であり、同一のものには同一の符号が付してある。
【００２８】
本実施の形態の埋込金物１を用いても、上記実施の形態にて図１（イ）（ロ）（ハ）及び図２（イ）（ロ）（ハ）に示した手順と同様の手順で据付対象構造物６の据え付けを行うことができるため、上記実施の形態と同様の効果を得ることができる。更に、上記実施の形態の埋込金物１における角筒形状のコンクリート堰４を構成するには、高さ寸法が異なる２枚の長方形のプレートと、同じ高さ寸法の台形状の２枚のプレートが必要とされるが、本実施の形態の埋込金物における円筒形状のコンクリート堰４ａは所要径のパイプを斜めに切断することで形成できるため、埋込金物１の製作をより容易なものとする効果が期待できる。
【００２９】
次いで、図５（イ）（ロ）（ハ）乃至図７は本発明の実施の更に他の形態を示すもので、本実施の形態で用いる埋込金物１ａは、図７に示すように、方形の埋込プレート２の下面に、下方へ突出するジベルとして、たとえば、埋込プレート２の下面の４角部に、該埋込プレート２の下面に対し垂直方向に所要寸法突出するスタッドジベル３を設ける。
【００３０】
更に、上記埋込金物１ａは、埋込プレート２の上面に取り付けるための脚支持部としてのベースプレート１３を備えた構成としてある。
【００３１】
具体的には、上記ベースプレート１３は、上面を水平面とすると共に、下面に構築すべき鉄筋コンクリート構造の床５に設ける水勾配と相補する１／１００の傾斜を備えた形状としてある。更に、構築すべき水勾配を備えた床５における最も水上側に設置される埋込金物１ａに具備されるベースプレート１３の所要の高さ寸法を基準として、それよりも水下寄りに設置される各埋込金物１ａに具備されるベースプレート１３では、対応する埋込金物１ａの設置個所と、上記最も水上側に設置される埋込金物１ａの設置個所との水勾配に沿った高さ位置の差分に応じた高さ寸法分、上記最も水上側に設置される埋込金物１ａに具備されるベースプレート１３の高さ寸法よりも高く設定した構成としてある。
【００３２】
その他、図１（イ）（ロ）（ハ）乃至図３（イ）（ロ）に示したものと同一のものには同一符号が付してある。
【００３３】
以上の構成としてある本実施の形態の埋込金物１ａを用いての鉄筋コンクリート構造の床５に据付対象構造物６の脚７の据え付けを行う場合は、上記埋込金物１ａのうち、上記埋込プレート２にスタッドジベル３を取り付けて組み立ててなる埋込用組立体１４を予め工場で製作しておき、この埋込用組立体１４とベースプレート１３とを分離した状態で現場へ搬入する。
【００３４】
次に、図５（イ）に示すように、図示しない水平な基礎上で鉄筋コンクリート構造の床５を構築するための鉄筋８の配筋工事が行われた状態にて、上記床５の構築後に据付対象構造物６の脚７を設置する設置予定個所ごとに、上記埋込用組立体１４を、該各埋込用組立体１４の埋込プレート２が構築する水勾配を備えた床５の表面に露出するように、該水勾配に応じた高さ位置に、水勾配に応じた傾斜、すなわち、１／１００の傾斜でセット（配置）して、該各埋込用組立体１４のスタッドジベル３を、上記配筋済みの鉄筋８に固縛すると共に、埋込プレート２の下面側と、鉄筋８とを埋込金物固定用鋼材９を介し連結して、上記各埋込用組立体１４を鉄筋８に対して固定する。
【００３５】
次いで、図５（ロ）に示すように、上記各埋込用組立体１４の埋込プレート２の表面高さ及び傾斜に応じた位置までコンクリート１０を、１／１００の勾配を設けた状態で打設して、該コンクリート１０を養生、硬化させて鉄筋コンクリート構造の水勾配勾配を備えた床５を構築する。
【００３６】
上記のようにして床５が構築された後は、図５（ハ）に示すように、上記構築された水勾配を有する床５の表面に露出している各埋込用組立体１４の埋込プレート２の上面に、それぞれ対応するベースプレート１３を溶接により取り付ける。これにより、上記各埋込用組立体１４と対応するベースプレート１３とを一体化することで各埋込金物１ａが現地で製作されると共に、該各埋込金物１ａのベースプレート１３の上面の高さ位置が、水平方向に揃うようになる。
【００３７】
よって、その後は、図６（イ）に示す如く、上記構築された水勾配を備えた床５より露出されている上記各埋込金物１ａのベースプレート１３の上面の中央部に、据付対象構造物６の各脚７の下端部の内側に嵌合させることで該各脚７を受けるための短パイプ１１を、溶接により取り付けた後、図６（ロ）に示す如く、上記据付対象構造物６の各脚７を、上記各埋込金物１ａのベースプレート１３の中央部の上側に載置して、該各脚７を対応するベースプレート１３に溶接により固定する。これにより、上記据付対象構造物６が、各脚７を固定した埋込金物１ａを介して、上記鉄筋コンクリート構造の床５に対して固定されるようになる。
【００３８】
このように、本実施の形態の埋込金物１ａを用いた水勾配床の構造物据付け方法によっても、鉄筋コンクリート構造の水勾配を備えた床５に対し、ベースプレート１３の上面の位置がすべて同じ高さ位置で水平に揃う埋込金物１ａを、据付対象構造物６の各脚７の配置に応じてそれぞれ設置できるため、この各埋込金物１ａのベースプレート１３の上側に、据付対象構造物６の各脚７を載置して固定することで、上記鉄筋コンクリート構造の水勾配を備えた床５に対し、鉛直方向に配置した据付対象構造物６の各脚７を、該各脚７に特別な加工を何ら要することなく据付けることができる。
【００３９】
なお、上記図５（イ）（ロ）（ハ）及び図６（イ）（ロ）では、図７に示すように、埋込プレート２とスタッドジベル３とからなる埋込用組立体１４と、ベースプレート１３とを分離した状態の埋込金物１ａを鉄筋コンクリート構造の床５の構築現場に搬入して、先ず、該床５の構築時に上記埋込用組立体１４を埋設した後、該埋込用組立体１４の埋込プレート２の上にベースプレート１３を溶接により取り付けることで、埋込金物１ａを現場で製作するものとして示したが、図８に示す如く、埋込プレート２とスタッドジベル３とベースプレート１３とを一体化してなる埋込金物１ａを工場で予め製作し、この埋込金物１ａを、現場へ搬入して、鉄筋コンクリート構造の水勾配を備えた床５を構築する際に、図５（イ）に示した埋込用組立体１４と同様に配置してから、図５（ロ）に示したと同様にコンクリート１０の打設を行うことで、該埋込金物１ａを据付対象構造物６の各脚７の配置に対応した位置に設置するようにしてもよい。このようにすれば、図５（ハ）に示した如き現場での埋込プレート２に対するベースプレート１３の溶接作業を不要にできるため、現場での工数を削減することができる。
【００４０】
なお、本発明は、上記実施の形態にのみ限定されるものではなく、埋込プレート２の形状は、その上面にコンクリート堰４，４ａやベースプレート１３を設置できる形状としてあれば、方形以外のいかなる形状としてもよい。
【００４１】
埋込金物プレート２の鉄筋コンクリート構造の床５からの引き抜きに耐え得るようにしてあれば、該埋込プレート２の下面に設けるスタッドジベル３の配置や本数は適宜変更してもよい。又、スタッドジベル以外のジベルを用いるようにしてもよい。
【００４２】
その他本発明の要旨を逸脱しない範囲内で種々変更を加え得ることは勿論である。
【図面の簡単な説明】
【００４３】
【図１】本発明の水勾配床の構造物据付け方法の実施の一形態の手順を示すもので、（イ）は鉄筋コンクリート構造の床の構築現場にて予め埋込金物をセットした状態を、（ロ）は床本体のコンクリートを打設した状態を、（ハ）は水勾配を有する床を構築した状態をそれぞれ示す切断概略側面図である。
【図２】図１の構造物据付け方法の手順の続きを示すもので、（イ）は埋込金物の埋込プレート上に据付対象構造物の脚を受けるための短パイプを設置した状態を、（ロ）は埋込金物の埋込プレート上に据付対象構造物の脚を設置した状態を、（ハ）は埋込金物のコンクリート堰の内側にモルタルを充填した状態をそれぞれ示す切断概略側面図である。
【図３】図１の構造物据付け方法で用いる埋込金物を示すもので、（イ）は概略平面図、（ロ）は概略切断側面図である。
【図４】本発明の実施の他の形態として、埋込金物の変形例を示す概略斜視図である。
【図５】本発明の実施の更に他の形態における構造物据付け方法の手順を示すもので、（イ）は鉄筋コンクリート構造の床の構築現場にて予め埋込用組立体をセットした状態を、（ロ）はコンクリートを打設して水勾配を備えた床を構築した状態を、（ハ）は埋込用組立体の埋込プレート上にベースプレートを取り付けて埋込金物を現地製作した状態をそれぞれ示す切断概略側面図である。
【図６】図５の構造物据付け方法の手順の続きを示すもので、（イ）は埋込金物のベースプレート上に据付対象構造物の脚を受けるための短パイプを設置した状態を、（ロ）は埋込金物のベースプレート上に据付対象構造物の脚を設置した状態をそれぞれ示す切断概略側面図である。
【図７】図５の構造物据付け方法で用いる埋込金物を示す概略側面図である。
【図８】本発明の実施の更に他の形態として、図７の埋込金物の変形例を示す概略側面図である。
【符号の説明】
【００４４】
１，１ａ  埋込金物
２  埋込プレート
３  スタッドジベル（ジベル）
４  コンクリート堰
５  床
６  据付対象構造物
７  脚
８  鉄筋
１０  コンクリート
１２  モルタル
１３  ベースプレート
【図１】
0005056534.tif 000002
【図２】
0005056534.tif 000003
【図３】
0005056534.tif 000004
【図４】
0005056534.tif 000005
【図５】
0005056534.tif 000006
【図６】
0005056534.tif 000007
【図７】
0005056534.tif 000008
【図８】
0005056534.tif 000009